(57)【要約】【課題】  直管型若しくは環状型ＬＥＤ照明管の点状光を消失させると共に面発光させる、ＬＥＤ面発光照明管の面発光方法及びその照明管を得ること。【解決手段】ＬＥＤ照明管の管状照明カバー本体を、切断または略Ｖ字状の斜面を有する溝部を形成して、該切断の両切断端面側または該溝部の斜面にＬＥＤ照明光を照射することで、点状光を消失させると共に面発光させ、また該管状照明カバー本体の該管内面側へ少なくとも略１／３程度突出させて、切断両端面側と管状照明カバー本体の該管内面側の両方にＬＥＤ照明光を照射する面発光方法とそのＬＥＤ面発光照明管、さらに該ＬＥＤ発光装置の基板をフレキシブル基板または輪状基板とすることで、環状ＬＥＤ照明管を得るＬＥＤ面発光照明管の面発光方法及びその照明管。【選択図】  図１
2011171085.tif 000002
【特許請求の範囲】
【請求項１】
ＬＥＤ照明管において、該ＬＥＤ照明管の管状照明カバー本体を長手方向に切断または略Ｖ字状の斜面を有する溝部を形成し、該切断の両切断端面または略Ｖ字状の該両斜面に、ＬＥＤ発光装置を配置すると共に該両切断端面または略Ｖ字状の該両斜面側からＬＥＤ光を照射させることで、ＬＥＤ照明管の該管状照明カバー本体の周面を面発光させるようにしたことを特徴とするＬＥＤ面発光照明管の面発光方法。
【請求項２】
請求項１記載の長手方向に切断した管状照明カバー本体に、該両切断端面側からＬＥＤ光を照射させると共にＬＥＤ発光部の発光表面を、該管状照明カバー本体の該管内面側へ少なくとも略１／３程度突出させて、該ＬＥＤ光を該両切断端面側と、管状照明カバー本体内面側の両方に照射することで、該管状照明カバー本体の周面を面発光させるようにしたことを特徴とするＬＥＤ面発光照明管の面発光方法。
【請求項３】
管状照明カバー本体を有するＬＥＤ照明管において、該管状照明カバー本体の周面が、面発光できるように、該管状照明カバー本体に光拡散剤を導入すると共に長手方向に切断または略Ｖ字状の斜面を有する溝部を形成し、該切断の両切断端面または略Ｖ字状の該両斜面側からＬＥＤ光を照射できるように、該両切断端面または略Ｖ字状の該両斜面にＬＥＤ発光装置を設けたことを特徴とするＬＥＤ面発光照明管。
【請求項４】
請求項３記載の該管状照明カバー本体の周面が面発光できるように、該両切断端面側からＬＥＤ光を照射させるＬＥＤ発光部の発光表面を、該管状照明カバー本体の該管内面側へ少なくとも略１／３程度突出させて設けたことを特徴とするＬＥＤ面発光照明管。
【請求項５】
請求項３または請求項４記載のＬＥＤ照明管を環状ＬＥＤ照明管とし、該環状ＬＥＤ照明管のＬＥＤ発光装置の基板をフレキシブル基板または環状基板としたことを特徴とするＬＥＤ面発光照明管。
【発明の詳細な説明】
【技術分野】
【０００１】
本発明は、白色ＬＥＤ（発光ダイオード）を使用した直管型、若しくは環状型照明管の点状光を消失させて面発光させる方法とその照明管に関する。
【背景技術】
【０００２】
従来、蛍光灯タイプの直管型ＬＥＤ照明は、該直管内部にＬＥＤを配置して、点状光の照明としたものが一般的に販売提供されている。
【０００３】
また、そのＬＥＤを照明用光源として用いたＬＥＤ照明装置は、該ＬＥＤの特徴的な点状光源を、その点状イメージを照明カバーにより消去した面発光状態のものも販売されるようになって来ている。
【０００４】
さらに、家庭用で汎用される蛍光灯の環状型にあっては、未だＬＥＤ照明装置の形状としての提供はなかった。
【０００５】
しかして、該ＬＥＤ照明の点状光源を面発光させる先行技術の先願例として、液晶表示装置の照明用光導板は、照明ランプを備え、また異なる屈曲率を有する光散乱用の透明微粒子を混入した透明物質よりなり、その微粒子は該照明ランプに近い部分は少なく、離れた部分は多く混入して液晶表示装置全体を均一に照明する光導板を可能にするとした実施例を示す「液晶表示装置の照明用光導板」がある。（例えば、特許文献１参照）
【０００６】
また、他の先行技術の先願例として、透明樹脂板中に光散乱粒子を分散した導光板と、前記導光板の少なくとも１つの側面から前記導光板内に入射する光を与える光源と、前記光源からの光が入射する前記導光板の側面以外の少なくとも１つの側面に設けられる透明フィルムまたは透明板上に金属層を設けた正反射部材を備え、前記光散乱粒子がほぼ均一に透明樹脂板中に分散して、液晶表示ディスプレイ等の背面に設けてバックライト等に用いることができる面型照明装置とした実施例を示す「面型照明装置」がある。（例えば、特許文献２参照）
【先行技術文献】
【特許文献】
【０００７】
【特許文献１】実開昭５６−５８６７８号公報
【特許文献２】特開平８−８２７１４号公報
【発明の概要】
【発明が解決しようとする課題】
【０００８】
上述したように従来のＬＥＤ照明装置は、該ＬＥＤの特徴的な点状光源のその点状イメージのまま照明光とするものが多く、ギラギラとした刺激的な光となり目に対する負荷が大きく、また眩しさが残り蛍光灯のようなソフトな明かりが得られず、よって眩しさの改善と、目に対する負荷の小さな照明が求められていた。
【０００９】
また、照明カバーにより点状光を消去した面発光するものは、該点状光イメージを取り除くのに多くの散光剤を照明カバーに導入するため、光の透過損失が多く、省エネの観点からも改善が求められ、また透過性が良く、且つ散光が大きく該点状光イメージを取り除くとする技術も提案されているが、散光剤が高価で、その照明カバーの製造技術も高度で汎用には至っておらず、汎用技術で、透過率が高く、安価に製造できる、点状光イメージを取り除く技術が求められていた。
【００１０】
さらに、従来は、直管型ＬＥＤ照明装置が提供されているのみで、環状型にしたＬＥＤ照明装置は未だ提供されてなく、それは一般的に直管型ＬＥＤ照明のＬＥＤ基板は、該管内に配置することから、環状型の管内に該ＬＥＤ基板を最適に配置するのに、環状であるため困難であることから提供されておらず、家庭用で汎用される環状型のＬＥＤ照明装置が待たれていた。
【００１１】
しかして、開示される特許文献１の「液晶表示装置の照明用光導板」は、液晶表示装置全体を均一に照明する光導板であって、該照明用光導板に異なる屈曲率を有する光散乱用の透明微粒子を混入して該光導板を面発光させるとしており、前記したように高度な技術での製造であって、また平面に対するバックライトとしての利用するもので、管状の周面に対するものでなかった。
【００１２】
また、特許文献２の「面型照明装置」は、液晶表示デバイス用の導光板の一方側に光源を設け、その光源からの光が入射する導光板の側面以外の少なくとも１つの側面に設けられる正反射部材を備え、その正反射部材で、面内の光強度の均一化が図れるように導光板からの光を反射し得ることから平面特有の構造から得られた結果で、光源だけでなく余分な構成の正反射部材が必要で、よってこのような正反射部材が必要なく、また上述と同様で、平面に対するバックライトとしての利用するもので、管状の周面に対するものでなかった。
【００１３】
このように先行技術の先願例では、板状で面発光する光導板とする、液晶表示デバイスのバックライトとして使用され、未だ管状に面発光するものはなく、またそのような技術から管状のものを面発光させる概念もなかった。
【課題を解決するための手段】
【００１４】
本発明は、上記課題を有効に達成するために、第１の解決手段として、ＬＥＤ照明管の管状照明カバー本体に切断または略Ｖ字状の斜面を有する溝部を形成し、該切断の両切断端面または略Ｖ字状の該両斜面に、ＬＥＤ発光装置を配置してＬＥＤ照明管の該管状照明カバー本体の周面を面発光させる方法により、
ＬＥＤ照明管の管状照明カバー本体を面発光させると共に点状光源を消失させるとしている。
【００１５】
また、第２の解決手段として、管状照明カバー本体の両切断端面側からＬＥＤ光を照射させると共にＬＥＤ発光部の発光表面を、該管状照明カバー本体の該管内面側へ少なくとも略１／３程度突出させて照射することで、該管状照明カバー本体の周面を面発光させる方法により、
該管状照明カバー本体の面発光の正面照度の明るさと点状光イメージの大きさを相対的に変更して効率よく面発光させると共に点状光源を消失させるとしている。
【００１６】
さらに、第３の解決手段として、ＬＥＤ照明管の管状照明カバー本体に光拡散剤を導入すると共に長手方向に切断または略Ｖ字状の斜面を有する溝部を形成し、該両切断端面または略Ｖ字状の該両斜面にＬＥＤ発光装置を設けたことで、
管状照明カバー本体を面発光させると共に点状光源を消失させる照明管としている。
【００１７】
加えて、第４の解決手段として、ＬＥＤ照明管の該管状照明カバー本体の周面が面発光できるように、該両切断端面側からＬＥＤ光を照射させるＬＥＤ発光部の発光表面を、該管状照明カバー本体の該管内面側へ少なくとも略１／３程度突出させて設けたことで、
管状照明カバー本体の面発光をより効率よく面発光させると共に点状光源を消失させる照明管としている。
【００１８】
さらに加えて、第５の解決手段として、ＬＥＤ照明管を環状ＬＥＤ照明管とし、該環状ＬＥＤ照明管のＬＥＤ発光装置の基板をフレキシブル基板または環状基板としたことで、
環状型のＬＥＤ照明管としている。
【発明の効果】
【００１９】
本発明は、上述したそれぞれの手段によって有効な効果が得られるようにしたもので、特に、第１の解決手段のＬＥＤ照明管において、該ＬＥＤ照明管の管状照明カバー本体を長手方向に切断または略Ｖ字状の斜面を有する溝部を形成し、該切断の両切断端面または略Ｖ字状の該両斜面に、ＬＥＤ発光装置を配置すると共に該両切断端面または略Ｖ字状の該両斜面側からＬＥＤ光を照射させることで、ＬＥＤ照明管の該管状照明カバー本体の周面を面発光させる方法により、
該管状照明カバー本体の両切断端面または略Ｖ字状の該両斜面よりＬＥＤ光を照射させることで、該直管型のＬＥＤ照明管の管状照明カバー本体を面発光させると共に点状光源を消失させて、直管型のＬＥＤ照明管が、従来の蛍光灯のように眼に対する刺激及び眩しさを和らげる照明光で、管周面全体が光る面発光の照明光として提供できる。
【００２０】
また、第２の解決手段の長手方向に切断した管状照明カバー本体に、該両切断端面側からＬＥＤ光を照射させると共にＬＥＤ発光部の発光表面を、該管状照明カバー本体の該管内面側へ少なくとも略１／３程度突出させて、該ＬＥＤ光を該両切断端面側と、管状照明カバー本体内面側の両方に照射することで、該管状照明カバー本体の周面を面発光させる方法により、
上述と略同様の効果と、さらに管状照明カバー本体の両切断端面と該管内の両方にＬＥＤ光を照射することにより、該管状照明カバー本体の正面側の明るさと、点状光イメージの大きさを相対的に変更して、面発光をより効率よく発光させると共に点状光源を消失させることができる。
【００２１】
また、第３の解決手段の管状照明カバー本体を有するＬＥＤ照明管において、該管状照明カバー本体の周面が、面発光できるように、該管状照明カバー本体に光拡散剤を導入すると共に長手方向に切断または略Ｖ字状の斜面を有する溝部を形成し、該両切断端面または略Ｖ字状の該両斜面側からＬＥＤ光を照射できるように、該両切断端面または略Ｖ字状の該両斜面にＬＥＤ発光装置を設けたことにより、
上述した直管型のＬＥＤ照明管の管状照明カバー本体を面発光させると共に点状光源を消失させて、従来の蛍光灯のように眼に対する刺激及び眩しさを和らげる照明光で管周面全体が光る、直管型のＬＥＤ照明管が得られる。
【００２２】
また、従来のように点状光源を消失させるのに、照明カバーに光拡散剤、反射部材またはプリズムなど反射面を有する形状を導入して散光させ、その結果コスト的負担が増し、それにより発光効率も落ちるものもあるが、本発明は、光拡散剤を導入した管状照明カバー本体と該管内にＬＥＤ発光の照明光を導入することで、面発光させると共に点状光源を消失させているので、照明カバーに対する光透過度を得るための高度技術の散光剤導入などを必要とせず、製造コストが低く、それでもって点状光イメージを消失させて面発光するＬＥＤ照明管の提供ができる。
【００２３】
また、第４の解決手段のＬＥＤ照明管の該管状照明カバー本体の周面が面発光できるように、該両切断端面側からＬＥＤ光を照射させるＬＥＤ発光部の発光表面を、該管状照明カバー本体の該管内面側へ少なくとも略１／３程度突出させて設けたことにより、
上述、第３の解決手段と略同様の効果と、さらに管状照明カバー本体の両切断端面と該管内の両方にＬＥＤ光を照射することで、該管状照明カバー本体の面発光の正面照度の明るさと点状光イメージの大きさを相対的に変更して面発光を、より効率よく面発光させると共に点状光源を消失させるＬＥＤ照明管が提供できる。
【００２４】
さらに、第５の解決手段の、ＬＥＤ照明管を環状ＬＥＤ照明管とし、該環状ＬＥＤ照明管のＬＥＤ発光装置の基板をフレキシブル基板または環状基板としたことにより、
従来、家庭用で汎用される環状型のＬＥＤ照明管が提供されていなかったが、本発明により環状型のＬＥＤ照明管が提供でき、また、環状型のＬＥＤ照明管は、上述と略同様の効果を有するＬＥＤ照明管として使用できる。
よって、これらのことから本発明は、実用上著大な効果を奏する。
【図面の簡単な説明】
【００２５】
【図１】本発明のＬＥＤ照明管１で、一部を省略した一部切欠斜視図である。
【図２】本発明の管状照明カバー本体２の側面断面図で光の照射状態を示す想像図である。
【図３】本発明の他の実施例の管状照明カバー本体２ａの側面断面図で、光の照射状態を示す想像図である。
【図４】本発明のその他の実施例の管状照明カバー本体２の要部の側面断面図で、光の照射状態を示す想像図である。
【図５】本発明のその他の実施例の管状照明カバー本体２の要部の側面断面図で、光の照射状態を（ａ），（ｂ），（ｃ）の各実施例別に示す想像図である。
【図６】本発明の（ａ），（ｂ），（ｃ）の各実施例の正面照度及び点状光イメージの大きさの一覧表である。
【図７】本発明の他の実施例の環状型ＬＥＤ照明管１ｂの一部を省略した一部切欠平面図である。
【図８】本発明のその他の実施例の環状型ＬＥＤ照明管１ｃの一部を省略した一部切欠平面図である。
【発明を実施するための形態】
【００２６】
ＬＥＤ照明管の管状照明カバー本体を長手方向に切断または略Ｖ字状の斜面を有する溝部を形成し、該切断の両切断端面または略Ｖ字状の該両斜面側からＬＥＤ光を照射させ、また該管状照明カバー本体内面より内側に少なくとも略１／３程度突出させる方法とその照明管で、ＬＥＤ照明管の管状照明カバー本体を面発光させると共に点状光源を消失させて、従来の蛍光灯のように管周面全体が光るＬＥＤ照明管を実現させ、さらに上記面発光するＬＥＤ照明管を環状に形成し、ＬＥＤ発光装置の基板をフレキシブル基板または環状基板とすることで、家庭用で汎用される環状型の環状ＬＥＤ照明管の提供を実現させた。
【実施例】
【００２７】
本発明の実施例を図面に基づいて説明すると、図１において、１はＬＥＤ照明管で、該ＬＥＤ照明管１は、従来の蛍光管と略同様の直管型の形状で、管状照明カバー本体２と両端にプラグ部３，３ａを設け、該プラグ部３，３ａは、電源供給と該ＬＥＤ照明管を支持するもので、一方のプラグ部３が電源供給部で、他方のプラグ部３ａは電源供給がなく従来の蛍光灯器具に取り付けるときの支持部材として機能するが、特に電源供給においては、片側若しくは両方からの電源供給にはこだわらない。
【００２８】
そこで、該管状照明カバー本体２は、図１及び図２に示すように、光拡散剤を導入した直管型の筒状で、該筒状を長手方向に切断することで形成される該両切断端面４，４間に、所定間隔を設け、該所定間隔の両切断端面４，４にＬＥＤ発光装置５を配置すると共にその上部に発光装置カバー６を設けている。
【００２９】
また、管状照明カバー本体２の該光拡散剤を導入することにおいて、照射光量の減少を抑えるために、従来一般的に使用される光拡散剤の導入量より少なく設定し、また極端に少なくした場合でも使用できるが、ギラギラとした刺激的な光のある眩しさも出ることから中が透けて見えない程度の光拡散剤の導入量で、さらにまた従来光透過率の散光剤およびその高度な技術ではなく、その一般的な散光剤を導入することでも十分な点状光源の消失による面発光が期待できる。
【００３０】
そして、該ＬＥＤ発光装置５は、長方形板状の配線用基板７の表裏側に、ＬＥＤ８，８，…をそれぞれ交互の各所定位置に設け、そしてその上記所定間隔に形成される両切断端面４，４間に該ＬＥＤ発光装置５のＬＥＤ８，８，…が配置されると共にその配置状態は、ＬＥＤ８，８，…の発光面と該両切断端面４，４とが対面する位置に設けられている。
【００３１】
また、図３に示す他の実施例のＬＥＤ照明管１ａの管状照明カバー本体２ａは、該管状照明カバー本体２ａを長手方向に略Ｖ字状の下端が繋がった状態で斜面が形成されるようにＶ溝部９を形成し、該Ｖ溝部９にＬＥＤ発光装置５ａのＬＥＤ８，８，…を下向きに配置すると共にその上部に発光装置カバー６ａを設けている。
【００３２】
なお、上述Ｖ字状の下端が繋がった状態としているが、分断しても良く、また分断して所定間隔を持って形成しても良く、さらにＬＥＤ発光装置５ａのＬＥＤ８，８，…を下向きに配置するとしているが、該略Ｖ字状の該斜面と対向する位置としても良く、それは後述する、面発光の照度とＬＥＤ発光の点状光イメージの長さとの最も効率の良い状態に適宜変更して決定されるが、図示は省略した。
【００３３】
而して、図４に示す光の照射状態から、管状照明カバー本体２の周面の面発光の発光状態において、ＬＥＤ発光装置５の各ＬＥＤ８，８，…から対面する両切断端面４，４に、該ＬＥＤ光が照射されると共に管状照明カバー本体２内にも照射されることで、該両切断端面４，４から管状照明カバー本体２を伝って、光拡散剤により該照射された光が拡散して該周面全体を面発光させ、また平行して管状照明カバー本体２の管内面を反射しながら、その管状照明カバー本体２側と該管内面側の双方にＬＥＤ光が照射されることによる相乗効果で、その光量の減少が少なく効率よく面発光する。
【００３４】
つまり、図４及び図２に示す管状照明カバー本体２側のＬＥＤ光の照射が最も遠く弱まる位置の管状照明カバー本体２の下側（正面照度）は、該管状照明カバー本体２の管内面を反射しながら直接照射するＬＥＤ光により、その下側の正面照度が大きくなり、全体として平均した面発光となる。
【００３５】
そして、図４に示す該ＬＥＤ発光装置５の各ＬＥＤ８，８，…からＬＥＤ光が照射される事と、その各ＬＥＤ８，８，…と両切断端面４，４の対面する位置関係は、ＬＥＤ照明管１の照度と、該ＬＥＤ照明管１のＬＥＤ光の照射位置近傍の周面に現れるＬＥＤ光の点状光イメージとの長さとに関係し、つまり該管状照明カバー本体２の両切断端面４，４から管内側へどの程度ＬＥＤ８，８，…の発光面を突出させるかによって、照度と点状光イメージの長さが相対的に決まり、そのことについてＬＥＤ８，８，…の発光面の突出量と、その面発光の光の出方のイメージを図４に示し、また図５に（ａ），（ｂ），（ｃ）の各図に上記該発光面の突出量の違いと光の出方のイメージを示しており、そしてその違いによる照度と点状光イメージの長さの関係を、図６の一覧表に表している。
【００３６】
そこで、図４に示すＬＥＤ発光装置５の設ける位置において、ＬＥＤ８，８，…の発光面が該管状照明カバー本体２の該管内面側から２／３程度突出させた状態の光の出方のイメージを示し、それはＬＥＤ８，８，…の発光面より照射されるＬＥＤ光が、該両切断端面４，４側へ略１／３程度の光量と、該管内面側に略２／３の光量がそれぞれ分割照射され、図中Ａ、Ａが、そのＬＥＤ光を照射する切断端面４，４から周面方向に出るＬＥＤ発光の点状光イメージの長さとして表している。
【００３７】
このことから、図５の（ａ）は、切断端面４，４とＬＥＤ８，８，…の発光面が、該端面４，４と略同一面積で対面する状態で、
（ｂ）は、両切断端面４，４とＬＥＤ８，８，…の発光面が、該管状照明カバー本体２の内側から１／３程度、突出させて分割照射する状態で、
（ｃ）は、両切断端面４，４とＬＥＤ８，８，…の発光面が、該管状照明カバー本体２の内側から２／３程度、突出させて分割照射する状態である。
【００３８】
そして、上述各（ａ），（ｂ），（ｃ）の状態の各照度とＬＥＤ発光の点状光イメージの長さの結果を、図６に示すように、正面照度（ｌｘ（ルックス））は、ＬＥＤ発光装置５の直下の周面近傍の照度を表し、点状光イメージの長さは、管状照明カバー本体２の両切断端面４，４近傍から周面方向の長さを、図４に示すようにＡとして示している。
【００３９】
そこで、図６に示す実験結果の一覧表において、（ａ）の場合、約５０ルックスとその点状光イメージのＡの長さは、両切断端面４，４から約６〜８ミリ程度で、
（ｂ）の場合、約５１〜５２ルックスとその点状光イメージのＡの長さは、両切断端面４，４から約７〜８ミリ程度で、
（ｃ）の場合、約５４ルックスとその点状光イメージのＡの長さは、両切断端面４，４から約８〜９ミリ程度で、このことから、管状照明カバー本体２の内側からＬＥＤ８，８，…の発光面の突出量の違いにより、正面照度の明るさと点状光イメージの大きさが相対的であることが解り、最大照度の（ｃ）の場合としても、点状光イメージの大きさが約８〜９ミリ程度で有ることから発光装置カバー６で該点状光イメージを覆い隠すことが可能で、この状態でＬＥＤ照明管１を点灯したときも点状光イメージが現れることなく、使用者にとって面発光しているＬＥＤ照明管１として認識される。
【００４０】
なお、上記発光装置カバー６の大きさと点状光イメージの大きさの関係において、正面照度の明るさ及び点状光イメージの大きさと発光装置カバー６との大きさを適宜相対的に変更し、また該発光装置カバー６が管状照明カバー本体２に接する側に反射部材を設けてＬＥＤ光の照射の効率を上げるようにしても好ましい。また、上述発光装置カバー６ａもこれと同様に使用しても好ましい。
【００４１】
而して、またＬＥＤ照明管１ａの管状照明カバー本体２ａの面発光の発光状態において、図３に示すように、Ｖ溝部９にＬＥＤ発光装置５ａのＬＥＤ８，８，…のＬＥＤ光が下向きに照射され、そのとき該各ＬＥＤ８，８，…から該ＬＥＤ光がＶ溝部９の両斜面に照射されると共に管状照明カバー本体２ａ内にも直接照射することで、管状照明カバー本体２ａの管内面を反射しながら面発光させ、また該両斜面から管状照明カバー本体２ａを伝って該周面全体を双方のＬＥＤ光の照射により、上述したと同様の相乗効果で面発光する。
【００４２】
つまり、管状照明カバー本体２ａ側のＬＥＤ光の照射が最も遠く弱まる位置の管状照明カバー本体２ａの下側（正面照度）は、Ｖ溝部９の下側からＬＥＤ光が、該管状照明カバー本体２ａの管内面を反射しながら、その管状照明カバー本体２ａ側と該管内面側の双方にＬＥＤ光が照射されることによる相乗効果で、その光量の減少が少なく効率よく面発光する。
【００４３】
而して、その他の実施例を示す図７は、上述実施例を環状型にした環状型ＬＥＤ照明管１ｂとしたもので、環状型の管状照明カバー本体２ｂは、上述実施例のＬＥＤ発光装置５と略同様のＬＥＤ発光装置１０を有し、該ＬＥＤ発光装置１０を柔軟に変形可能な薄いフレキシブル基板１１で形成し、該フレキシブル基板１１の表裏面にＬＥＤ８，８，…を、各所定間隔を持って配置すると共に該環状の両切断端面４，４に沿うように該フレキシブル基板１１を湾曲させて設けている。
【００４４】
つまりその湾曲は、上記該管状照明カバー本体２ｂに形成される両切断端面４，４の環状に沿うようにＬＥＤ発光装置１０を配置させるとき、湾曲させる必要があり、そのため撓み可能なフレキシブル基板１１としている。
【００４５】
なお、図７の図中に示す１２は、図１に示す発光装置カバー６と略同様の機能の発光装置カバー１２であり、またその１３は、上述した図１のプラグ部３，３ａと略同様の電源供給部であって、従来市販される環状型蛍光管の電源供給部分と略同様の機能としてのプラグ部１３である。
【００４６】
而して、図８に示すさらに他の実施例の環状型ＬＥＤ照明管１ｃは、上述と同様に環状型に形成した環状型ＬＥＤ照明管１ｃで、管状照明カバー本体２ｃは上述と略同様のＬＥＤ発光装置１５を有し、該ＬＥＤ発光装置１５は、環状型で平面板状の環状基板１４で、該上部に発光装置カバー１６を設けている。
【００４７】
なお、上述したそれぞれの実施例は、管状照明カバー本体２，２ａ，２ｂ，２ｃに伝わるＬＥＤ光と該管内面に伝わるＬＥＤ光の照射量を、ＬＥＤ８，８，…の位置を適宜変更することで、ＬＥＤ光が双方に照射されることによる相乗効果で、その光量の減少が小さく効率よく面発光できるようにし、また後述するＶ溝部９の照射方向の適宜変更も上記と同様の効果が得られ、本実施例のＬＥＤ照明管１，１ａ、環状型ＬＥＤ照明管１ｂ，１ｃの正面照度と点状光イメージの大きさを相対的に変更させることで、使用者にとって明るく、面発光しているとして認識されるようにしている。
【００４８】
また、直管型及び環状型の管状照明カバー本体２ａ，２ｃにそれぞれＶ溝部９を形成し、そこにＬＥＤ発光装置５ａ，１５を下向きに設けるとしているが、該Ｖ溝部９の各傾斜面と対面する方向に該ＬＥＤ８，８，…をそれぞれ交互に設けて、ＬＥＤ光の照射方向を適宜変更し、また該ＬＥＤ発光装置５ａ，１５の配線用基板７ａ、環状基板１４を板状としているが、その板状をフレキシブル基板としても良く、しかし特に図示は省略した。
【産業上の利用可能性】
【００４９】
本発明のＬＥＤ面発光照明管の面発光方法及びその照明管は、従来の直管型蛍光灯、環状型蛍光灯及び直管型ＬＥＤ照明灯に換わる面発光のＬＥＤ照明器具として利用することができる。
【符号の説明】
【００５０】
１，１ａ  ＬＥＤ照明管
１ｂ，１ｃ  環状型ＬＥＤ照明管
２，２ａ，２ｂ，２ｃ  管状照明カバー本体
４  切断端面
５，５ａ  ＬＥＤ発光装置
９  Ｖ溝部
１０  ＬＥＤ発光装置
１１  フレキシブル基板
１４  環状基板
１５  ＬＥＤ発光装置
【図１】
2011171085.tif 000003
【図２】
2011171085.tif 000004
【図３】
2011171085.tif 000005
【図４】
2011171085.tif 000006
【図５】
2011171085.tif 000007
【図６】
2011171085.tif 000008
【図７】
2011171085.tif 000009
【図８】
2011171085.tif 000010